(57)【要約】【課題】ユーザにとって省エネルギー活動の効果を直感的に把握しやすいグラフの提示すること。【解決手段】省エネルギー支援システムは、住宅のエネルギーの使用状況を示すグラフ画像を端末装置に表示する省エネルギー支援システムであって、住宅のエネルギーの使用状況の時間変化を示す第１グラフと、第１グラフの表示期間幅のうち一部の表示期間幅における住宅のエネルギーの使用状況の時間変化を示す第２グラフとが、表示領域を識別する単一の識別子によって示される表示領域内に配置される画像情報が記憶される記憶部と、記憶部に記憶され、端末装置が出力する識別子が示す画像情報を当該端末装置に供給する供給部とを備えるサーバ装置と、識別子を出力する識別子出力部と、画像情報を取得する画像情報取得部と、画像情報が示す第１グラフ及び第２グラフを表示部に表示させる表示制御部とを備える端末装置とを備える。【選択図】図１
2019154162.tif 000002
【特許請求の範囲】
【請求項１】
住宅のエネルギーの使用状況を示すグラフ画像を端末装置に表示する省エネルギー支援システムであって、
住宅のエネルギーの使用状況の時間変化を示す第１グラフと、前記第１グラフの表示期間幅のうち一部の表示期間幅における前記住宅のエネルギーの使用状況の時間変化を示す第２グラフとが、表示領域を識別する単一の識別子によって示される表示領域内に配置される画像情報が記憶される記憶部と、
前記記憶部に記憶される複数の前記画像情報のうち、前記端末装置が出力する前記識別子が示す前記画像情報を当該端末装置に供給する供給部と、
を備えるサーバ装置と、
前記サーバ装置に対して前記識別子を出力する識別子出力部と、
前記供給部が供給する前記画像情報を取得する画像情報取得部と、
前記画像情報取得部が取得する前記画像情報が示す前記第１グラフ及び前記第２グラフを表示部に表示させる表示制御部と、
を備える端末装置と、
を備える省エネルギー支援システム。
【請求項２】
前記サーバ装置は、
前記表示部に表示される前記１グラフに対する操作を示す操作情報を前記端末装置から取得する操作情報取得部と、
前記第１グラフの表示期間幅のうち前記操作情報取得部が取得する前記操作情報が示す一部の表示期間幅についての前記第２グラフを、前記第１グラフとともに前記識別子が示す前記表示領域内に配置することにより、前記画像情報を生成する画像生成部と、
をさらに備える請求項１に記載の省エネルギー支援システム。
【請求項３】
前記第１グラフの表示期間幅とは、１か月間である
請求項１又は請求項２に記載の省エネルギー支援システム。
【請求項４】
前記第２グラフの表示期間幅とは、１日間である
請求項１から請求項３のいずれか一項に記載の省エネルギー支援システム。
【請求項５】
前記第２グラフの表示期間幅が、前記第１グラフの表示期間幅における住宅のエネルギーの使用量が最大である期間に基づいて予め定められている
請求項１から請求項４のいずれか一項に記載の省エネルギー支援システム。
【請求項６】
前記第１グラフ及び前記第２グラフには、住宅の空調機器によるエネルギーの使用状況の時間変化が少なくとも含まれている
請求項１から請求項５のいずれか一項に記載の省エネルギー支援システム。
【請求項７】
前記第１グラフ及び前記第２グラフには、前記空調機器によるエネルギーの使用状況と、前記空調機器を除く前記住宅において消費されるエネルギーの使用状況とが区別されて示される
請求項６に記載の省エネルギー支援システム。
【請求項８】
前記サーバ装置は、
住宅に設置された電力計器によって取得されるエネルギーの使用状況を示す使用状況情報を、ネットワークを介して取得する使用状況情報取得部
をさらに備える請求項１から請求項７のいずれか一項に記載の省エネルギー支援システム。
【請求項９】
前記識別子には、ユニフォーム・リソース・アイデンティファイアが含まれ、
前記表示領域には、ウェブページが含まれ、
前記端末装置は、
前記識別子出力部、前記画像情報取得部、及び前記表示制御部としての機能を有するウェブブラウザ
をさらに備える請求項１から請求項８のいずれか一項に記載の省エネルギー支援システム。
【請求項１０】
住宅のエネルギーの使用状況を示すグラフ画像を端末装置に表示する省エネルギー支援システムが備えるサーバ装置であって、
住宅のエネルギーの使用状況の時間変化を示す第１グラフと、前記第１グラフの表示期間幅のうち一部の表示期間幅における前記住宅のエネルギーの使用状況の時間変化を示す第２グラフとが、１つの識別子によって示される表示領域内に配置される画像情報が記憶される記憶部と、
端末装置が出力する前記識別子を取得する識別子取得部と、
前記記憶部に記憶される複数の前記画像情報のうち、前記識別子取得部が前記端末装置から取得する前記識別子が示す前記画像情報を当該端末装置に供給する供給部と、
を備えるサーバ装置。
【請求項１１】
住宅のエネルギーの使用状況を示すグラフ画像を端末装置に表示する省エネルギー支援システムが備えるコンピュータに、
端末装置が出力する識別子を取得する識別子取得ステップと、
住宅のエネルギーの使用状況の時間変化を示す第１グラフと、前記第１グラフの表示期間幅のうち一部の表示期間幅における前記住宅のエネルギーの使用状況の時間変化を示す第２グラフとが、１つの識別子によって示される表示領域内に配置される画像情報が記憶される記憶部から、前記識別子取得ステップにおいて取得された前記識別子が示す前記画像情報を取得する画像情報取得ステップと、
前記画像情報取得ステップにおいて取得された前記画像情報を当該端末装置に供給する供給ステップと、
を実行させるためのプログラム。
【発明の詳細な説明】
【技術分野】
【０００１】
本発明は、省エネルギー支援システム、サーバ装置及びプログラムに関する。
【背景技術】
【０００２】
近年、家電機器等の住宅で使用されるエネルギー等の情報を取得し、エネルギー使用量に基づいて家電機器を制御したりするＨＥＭＳ（ホームエネルギーマネジメントシステム）が知られている。また、住宅内に設置されて電力を発電したり蓄電したりする発電機器・充放電機器も知られている。
上述した家電機器・発電機器・充放電機器によるエネルギー使用状況を、省エネルギー活動に向けたアドバイスとして、顧客に提示するシステムが知られている。例えば、特許文献１には、顧客のエネルギー使用状況を時系列のグラフとして見せている。
【先行技術文献】
【特許文献】
【０００３】
【特許文献１】特開２０１４−２３３７８号公報
【発明の概要】
【発明が解決しようとする課題】
【０００４】
しかしながら、上述したような従来技術によると、グラフの表示がある一日のみに集約されている。したがって、従来技術によると、例えば、一か月等のある程度長い期間におけるエネルギー使用状況の推移をユーザに提示することができないため、グラフを見たユーザが省エネルギー活動の効果を直感的に把握しにくいという問題があった。
【０００５】
本発明は、上述した問題点に鑑みてなされたものであり、ユーザにとって省エネルギー活動の効果を直感的に把握しやすいグラフの提示がなされる省エネルギー支援システム、サーバ装置及びプログラムを提供することを目的とする。
【課題を解決するための手段】
【０００６】
本発明の一実施形態は、住宅のエネルギーの使用状況を示すグラフ画像を端末装置に表示する省エネルギー支援システムであって、住宅のエネルギーの使用状況の時間変化を示す第１グラフと、前記第１グラフの表示期間幅のうち一部の表示期間幅における前記住宅のエネルギーの使用状況の時間変化を示す第２グラフとが、表示領域を識別する単一の識別子によって示される表示領域内に配置される画像情報が記憶される記憶部と、前記記憶部に記憶される複数の前記画像情報のうち、前記端末装置が出力する前記識別子が示す前記画像情報を当該端末装置に供給する供給部と、を備えるサーバ装置と、前記サーバ装置に対して前記識別子を出力する識別子出力部と、前記供給部が供給する前記画像情報を取得する画像情報取得部と、前記画像情報取得部が取得する前記画像情報が示す前記第１グラフ及び前記第２グラフを表示部に表示させる表示制御部と、を備える端末装置と、を備える省エネルギー支援システムである。
【０００７】
本発明の一実施形態は、上述した省エネルギー支援システムにおいて、前記サーバ装置は、前記表示部に表示される前記１グラフに対する操作を示す操作情報を前記端末装置から取得する操作情報取得部と、前記第１グラフの表示期間幅のうち前記操作情報取得部が取得する前記操作情報が示す一部の表示期間幅についての前記第２グラフを、前記第１グラフとともに前記識別子が示す前記表示領域内に配置することにより、前記画像情報を生成する画像生成部とをさらに備える。
【０００８】
本発明の一実施形態は、上述した省エネルギー支援システムにおいて、前記第１グラフの表示期間幅とは、１か月間である。
【０００９】
本発明の一実施形態は、上述した省エネルギー支援システムにおいて、前記第２グラフの表示期間幅とは、１日間である。
【００１０】
本発明の一実施形態は、上述した省エネルギー支援システムにおいて、前記第２グラフの表示期間幅が、前記第１グラフの表示期間幅における住宅のエネルギーの使用量が最大である期間に基づいて予め定められている。
【００１１】
本発明の一実施形態は、上述した省エネルギー支援システムにおいて、前記第１グラフ及び前記第２グラフには、住宅の空調機器によるエネルギーの使用状況の時間変化が少なくとも含まれている。
【００１２】
本発明の一実施形態は、上述した省エネルギー支援システムにおいて、前記第１グラフ及び前記第２グラフには、前記空調機器によるエネルギーの使用状況と、前記空調機器を除く前記住宅において消費されるエネルギーの使用状況とが区別されて示される。
【００１３】
本発明の一実施形態は、上述した省エネルギー支援システムにおいて、前記サーバ装置は、住宅に設置された電力計器によって取得されるエネルギーの使用状況を示す使用状況情報を、ネットワークを介して取得する使用状況情報取得部をさらに備える。
【００１４】
本発明の一実施形態は、上述した省エネルギー支援システムにおいて、前記識別子には、ユニフォーム・リソース・アイデンティファイアが含まれ、前記表示領域には、ウェブページが含まれ、前記端末装置は、前記識別子出力部、前記画像情報取得部、及び前記表示制御部としての機能を有するウェブブラウザをさらに備える。
【００１５】
本発明の一実施形態は、住宅のエネルギーの使用状況を示すグラフ画像を端末装置に表示する省エネルギー支援システムが備えるサーバ装置であって、住宅のエネルギーの使用状況の時間変化を示す第１グラフと、前記第１グラフの表示期間幅のうち一部の表示期間幅における前記住宅のエネルギーの使用状況の時間変化を示す第２グラフとが、１つの識別子によって示される表示領域内に配置される画像情報が記憶される記憶部と、端末装置が出力する前記識別子を取得する識別子取得部と、前記記憶部に記憶される複数の前記画像情報のうち、前記識別子取得部が前記端末装置から取得する前記識別子が示す前記画像情報を当該端末装置に供給する供給部と、を備えるサーバ装置である。
【００１６】
本発明の一実施形態は、住宅のエネルギーの使用状況を示すグラフ画像を端末装置に表示する省エネルギー支援システムが備えるコンピュータに、端末装置が出力する識別子を取得する識別子取得ステップと、住宅のエネルギーの使用状況の時間変化を示す第１グラフと、前記第１グラフの表示期間幅のうち一部の表示期間幅における前記住宅のエネルギーの使用状況の時間変化を示す第２グラフとが、１つの識別子によって示される表示領域内に配置される画像情報が記憶される記憶部から、前記識別子取得ステップにおいて取得された前記識別子が示す前記画像情報を取得する画像情報取得ステップと、前記画像情報取得ステップにおいて取得された前記画像情報を当該端末装置に供給する供給ステップと、を実行させるためのプログラムである。
【発明の効果】
【００１７】
本発明によれば、ユーザにとって省エネルギー活動の効果を直感的に把握しやすいグラフの提示がなされる省エネルギー支援システム、サーバ装置及びプログラムが提供される。
【図面の簡単な説明】
【００１８】
【図１】本実施形態に係る省エネルギー支援システムの概略構成を示す図である。
【図２】本実施形態の表示装置に表示される画面の遷移の一例を示す図である。
【図３】本実施形態のＨＥＭＳ画面の一例を示す図である。
【図４】本実施形態の表示装置に表示されるトップページの一例を示す図である。
【図５】本実施形態の表示装置に表示される省エネルギー支援ページの一例を示す図である。
【図６】本実施形態の表示装置に表示されるランキングページの一例を示す図である。
【図７】本実施形態の表示装置に表示されるエネルギー入力ページの一例を示す図である。
【図８】本実施形態の表示装置に表示される基本情報入力ページの一例を示す図である。
【図９】本実施形態の表示装置に表示される宅内ＣＯ２排出量ページの一例を示す図である。
【図１０】本実施形態の表示装置に表示されるデータダウンロードページの一例を示す図である。
【図１１】本実施形態の表示装置に表示される宅内ＣＯ２排出量ページの一例の詳細を示す図である。
【図１２】本実施形態の表示装置に表示されるグラフ画像の一例を示す図である。
【図１３】本実施形態の表示装置に表示されるグラフ画像の初期状態を示す図である。
【図１４】本実施形態のサービス提供サーバの動作の一例を示す図である。
【発明を実施するための形態】
【００１９】
［実施形態］
以下、本発明の第１の実施形態について図面を参照して説明する。まず、図１を参照して本実施形態の全体構成について説明する。
図１は、本実施形態に係る省エネルギー支援システムの概略構成を示す図である。
【００２０】
省エネルギー支援システムは、サービス提供者３のサービス提供サーバ３１と、住宅１に備えられる端末装置１９とを含んで構成される。
住宅１は、電気事業者２が提供する電気事業者サーバ２１と、第三者４が提供する第三者サーバ４１とに、住宅１が備えるスマートメーター１０及び通信ネットワークを介して接続される。
電気事業者２は、住宅１に電力を供給するとともに、住宅１に設置されるスマートメーター１０から情報を受信する電気事業者サーバ２１を備える。
【００２１】
また、住宅１は、サービス提供サーバ３１に、端末装置１９及び通信ネットワークを介して接続される。
なお、サービス提供者３とは、住宅１に関する様々なサービスを直接的又は間接的に提供する会社であり、住宅１そのものを提供する会社であってもよい。
【００２２】
住宅１は、スマートメーター１０と、集線装置１１と、Ａルート受信装置１３−１と、Ｂルート受信装置１３と、Ｃルート受信装置１３−２と、分電盤１４と、分電盤計測装置１５と、発電・充放電機器１６と、発電・充放電制御装置１７と、家電・情報機器１８と、端末装置１９とを備える。
発電・充放電機器１６とは、発電機器１６１と、充放電機器１６２との総称である。
【００２３】
スマートメーター１０は、住宅１の屋外かつ住宅１の敷地内に設置される。スマートメーター１０は、電気事業者２によって供給された電力量を計測し、電力量、課金情報等を含む電力データを生成する。
【００２４】
スマートメーター１０は、住宅１の外側に設置される。スマートメーター１０を住宅１の外側に設置することによって、電気事業者等の検針員がスマートメーター１０によって計測された電力量についての目視による検針を行う場合、住宅１の居住者の許可を得る工程を省くことができ、また、住宅１の居住者が不在である場合に検針のために出直す等の不要な手間を削減することができ、電気事業者等の検針員による検針業務の効率化に寄与することができる。
【００２５】
スマートメーター１０は住宅１の外壁面に接するように取り付けられることがより好ましい。これによって、住宅１が建築されている敷地における、住宅１以外のスペースを有効に活用することができる。さらに、スマートメーター１０を住宅１の外壁面に接するように取り付ける場合、道路に面している外壁面、又は該外壁面に対して概ね直交している外壁面に取付けることが好ましい。道路から訪問する電気事業者等の検針員にとって、目視にて電力量についての検針を行う場合、スマートメーター１０を目視しやすいからである。また、比較的大きな敷地に建築された住宅１においては、スマートメーター１０は住宅１の外側にある住宅１とは別の構造物、例えば、門、車庫等に取り付けられてもよい。
なお、スマートメーター１０は、将来的には電力小売り自由化の一環である発送電分離政策により送配電事業者の所有物となる可能性もある。
【００２６】
［電力データの受信経路（１）Ｂルート電力データ］
スマートメーター１０は、Ｂルートの通信ネットワークを用いて住宅１内のＢルート受信装置１３に電力データを送信する。このようにＢルート受信装置１３に電力データを送信するために用いられる通信ネットワークは、有線通信方式を用いても無線通信方式を用いてもよい。Ｂルート受信装置１３が、スマートメーター１０から、住宅１内の通信ネットワークを介して受信した電力データをＢルート電力データともいう。
【００２７】
［電力データの受信経路（２）Ａルート電力データ］
スマートメーター１０は、Ａルートの通信ネットワークを用いて電力データを遠隔地にある電気事業者２の備える電気事業者サーバ２１に送信する。この場合、Ａルート受信装置１３−１は、電気事業者サーバ２１からＡルートの通信ネットワークを介して電力データを受信する。Ａルート受信装置１３−１が、電気事業者サーバ２１から、Ａルートの通信ネットワークの通信ネットワークを介して受信した電力データをＡルート電力データともいう。なお、住宅１と電気事業者サーバ２１との間において電力データを送受信するために用いられる通信ネットワークは、有線通信方式を用いても無線通信方式を用いてもよい。
【００２８】
［電力データの受信経路（３）Ｃルート電力データ］
スマートメーター１０は、Ｃルートの通信ネットワークを用いて電力データを遠隔地にある第三者４の備える第三者サーバ４１に送信する。この場合、Ｃルート受信装置１３−２は、第三者サーバ４１からＣルートの通信ネットワークを介して電力データを受信する。Ｃルート受信装置１３−２が、第三者サーバ４１から、Ｃルートの通信ネットワークの通信ネットワークを介して受信した電力データをＣルート電力データともいう。なお、住宅１と第三者サーバ４１との間において電力データを送受信するために用いられる通信ネットワークは、有線通信方式を用いても無線通信方式を用いてもよい。
【００２９】
住宅１に備えられる機器の構成について説明を続ける。集線装置１１は、ハブ及び無線ネットワーク基地局のうちの１つ以上であり、Ｂルート受信装置１３、分電盤計測装置１５、発電・充放電制御装置１７、家電・情報機器１８、及び端末装置１９（ＨＥＭＳ１９１）が情報を送受信するために、これらの機器等に直接、又は間接的に接続される通信ケーブル１１１（不図示）を集線する。集線装置１１は、電気信号を受信して、受信した電気信号を送信することによってＬＡＮによる通信ネットワークを構成する。本実施形態において、集線装置１１は有線ハブである。住宅１内といったある程度、情報通信機器の移動が限られた環境では、移動についての利点を有する無線ハブよりも、通信の安定性が高いという利点を有する有線ハブを用いることが好ましい。また、集線装置１１は、イーサネット(登録商標)の規格に対応している。
また、集線装置１１は、電源ケーブル１１２（不図示）を介してコンセント等の電源供給手段１１３（不図示）に接続されることによって供給された電力によって動作する。電源供給手段１１３（不図示）のうち少なくとも１つは壁内から引き込まれている。
【００３０】
Ｂルート受信装置１３は、スマートメーター１０から情報を受信し、集線装置１１を介して端末装置１９へ送信したり、端末装置１９から出力された情報をスマートメーター１０に送信したりする。なお、Ｂルート受信装置１３は、端末装置１９に内蔵されてもよいし、端末装置１９とは別体の機器であってもよい。Ｂルート受信装置１３が、端末装置１９と別体の機器である場合、ドングルとして端末装置１９に挿入される。また、Ｂルート受信装置１３は、有線又は無線による通信ネットワークを介して集線装置１１に直接的又は間接的に接続される。これにより、Ｂルート受信装置１３は、集線装置１１を介して容易にＬＡＮ、ひいてはインターネットに接続することができる。また、Ｂルート受信装置１３が有線による通信ネットワークを介して情報を送受信する場合、該通信値ネットワークはイーサネット(登録商標)規格によるものであることがよい。これにより、無線による通信ネットワークを用いる場合に比べて、電波障害等により通信が不安定となるのを防ぐことができる。
【００３１】
Ｂルート受信装置１３は、スマートメーター１０の位置に基づいて住宅１の屋内に設置される。具体的には、スマートメーター１０が設置されている、住宅１の外壁に対応して設けられている内壁によって囲まれる空間に設置される。また、Ｂルート受信装置１３は、Ｎ（Ｎは自然数。）階建の住宅１においては１階以上でＮ階未満のフロアに設置されるのがよい。上述のように、スマートメーター１０は、電気事業者等によって目視されるため１階に設置されるのが通常であり、このため、下方のフロアであるほど、スマートメーター１０との通信が安定する。そのため、Ｂルート受信装置１３は、住宅１の１階のフロアの床面と天井面との間に設置されるのが最も好ましい。なお、通常、住宅１においては玄関付近にデッドスペースが存在する場合が多く、該デッドスペースを活用するためには、Ｂルート受信装置１３は、住宅１の玄関、又は玄関に隣接している土間収納部に設置されるのがよい。
【００３２】
また、Ｂルート受信装置１３は、有線方式又は無線方式の通信ネットワークによって、直接的又は間接的に集線装置１１に接続され、集線装置１１を介して端末装置１９（ＨＥＭＳ）と情報を送受信する。なお、有線方式の通信ネットワークを用いる場合、該通信ネットワークはイーサネット(登録商標)により構成され、Ｂルート受信装置１３及び集線装置１１を接続するためのケーブルの少なくとも一部は壁内に配線される。
【００３３】
Ｂルート受信装置１３は、集線装置１１との情報の送受信の安定性の観点から、集線装置１１を収容している通信機器収容部１２の近傍に配置されるのが好ましい。さらには、Ｂルート受信装置１３は、通信機器収容部１２に収容され、カバーにより覆われてもよい。これにより、住宅１内の住人によって、Ｂルート受信装置１３は視認されず、住宅１内の美観を維持することができる。
【００３４】
なお、これまでＢルート受信装置１３の設置例について説明したが、これに限られない。Ａルート受信装置１３−１及びＣルート受信装置１３−２についても、Ｂルート受信装置１３と同様に設置されることが望ましい。
【００３５】
また、Ｂルート受信装置１３は、スマートメーター１０との間に金属板、金属メッシュ等の電波を遮蔽する電磁遮蔽部材が位置しないように配置されるのがよい。これにより、Ｂルート受信装置１３とスマートメーター１０との間で情報を送受信するための、無線で形成される通信ネットワークにおいて電磁遮蔽部材によって通信が不安定となるのを防ぐことができる。
【００３６】
ただし、通信機器収容部１２が２階以上のフロアに設けられている場合、Ｂルート受信装置１３は通信機器収容部１２が設けられているフロアより下階に配置されてもよい。Ｂルート受信装置１３におけるスマートメーター１０との通信の安定化及び集線装置１１との通信の安定化を考慮して適宜、その配置を決定することができる。
【００３７】
分電盤１４は、電気事業者２から供給される主幹電力を受電し、受電した電力を２０以上の分岐回路に分配する。それぞれの分岐回路は、住宅１内に設置されたコンセント、照明器具等に接続され、分岐回路によって分岐された電力がこれらのコンセント、照明器具等に供給される。また、分電盤１４は、アンペアブレーカー、漏電遮断機、配線遮断器等を備える。
【００３８】
分電盤計測装置１５は、分電盤１４のカバー内に内包され、センサー部１５１（不図示）及び送信部１５２（不図示）を備える。分電盤計測装置１５は、分電盤１４の内部に配置されてもよいし、分電盤１４の近傍に配置されてもよい。なお、分電盤計測装置１５が分電盤１４の内部に配置される場合、住宅１内の人物から通常は視認されないため美観の点では優れている。そのため、住宅１を新規に建築する場合には、この点を考慮して分電盤計測装置１５を内部に配置するよう分電盤１４が設けられる。
【００３９】
センサー部１５１（不図示）は、分電盤１４から住宅１で消費された消費電力量、及び発電・充放電機器１６によって発電された発電力量を計測する。センサー部１５１は、分電盤１４におけるそれぞれの分岐回路に係る電線の磁力変化に基づいて電流を計測するＣＴ（Current Transformer）センサーを含み、ＣＴセンサーによって計測された電流に基づいて電力量を計測する。上述のように分電盤１４は、電力を２０以上の分岐回路に分配し、それぞれについて電力量を計測するため、多くの情報を取得することができ、これらの情報に基づいて綿密なエネルギーマネジメントを行うことが可能となる。
【００４０】
送信部１５２（不図示）は、センサー部１５１によって計測された電力量を表す分電盤電力データを、集線装置１１を介して端末装置１９に送信する。また、端末装置１９に送信された分電盤データは、インターネット等の通信ネットワークを介して、例えば、サービス提供サーバ３１のような、外部のサーバ又はサーバ群に送信される。このとき、送信部１５２から集線装置１１までの分電盤電力データの送信には、周波数帯域が略９５０ＭＨｚ、２．５ＧＨｚ、５ＧＨｚである無線方式の通信ネットワークが用いられる。周波数帯域を略９５０ＭＨｚとすることによってＷｉＦｉ（登録商標）による通信に対応することができ、周波数帯域を略９５０ＭＨｚとすることによってＷｉ−ＳＵＮ（登録商標）による通信に対応することができる。送信部１５２から集線装置１１までの分電盤電力データの送信には、イーサネット(登録商標)による有線方式の通信ネットワークが用いられてもよく、この場合、送信部１５２と集線装置１１との間を接続するケーブルの少なくとも一部は住宅１の壁内に、住人からは視認できないようにして配線される。これによって、通信の安定性を維持しつつ、美観を保つことができる。また、送信部１５２は、集線装置１１を介さずに、直接、端末装置１９（ＨＥＭＳ）に接続されてもよい。
【００４１】
発電・充放電機器１６は、発電機器１６１及び充放電機器１６２を備える。発電機器１６１は、太陽光（Photovoltaics（ＰＶ））及び燃料電池のうちの少なくとも１つによって電力を発生させる。充放電機器１６２は、発電機器１６１によって発生した電力を蓄積及び放出する。
【００４２】
発電・充放電制御装置１７は、制御部１７１（不図示）及び送信部１７２（不図示）を備える。制御部１７１（不図示）は、発電機器１６１によって発電された電力量、及び充放電機器１６２によって蓄電されている電力量を表す発電・蓄電データを取得し、発電・蓄電データに基づいて発電機器１６１に発生させる電力量を制御する。制御部１７１（不図示）は、発電・充放電機器１６の発電機器１６１、又は発電された電力を変換するパワーコンディショナー（不図示）に接続して電力量を計測する。このようにすることによって、ＣＴセンサーを介さずに電力量を取得することができ、ＰＶ及び燃料電池による発電を抑制することが可能となる。
【００４３】
また、制御部１７１（不図示）が発電機器１６１、又はパワーコンディショナーに接続するには、例えばＲＳ４８５といったシリアル通信を用いればよく、その少なくとも一部をイーサネット(登録商標)によるネットワークとしても、ＷｉＦｉ(登録商標)、Ｗｉ−ＳＵＮ(登録商標)等の無線によるネットワークとしてもよい。また、イーサネット(登録商標)によるネットワークである場合、通信ケーブル１１１は壁内に配線されることが美観の点からも電波障害を防ぐという点からも好ましい。
【００４４】
また、送信部１７２（不図示）は、制御部１７１（不図示）によって取得した発電・蓄電データを、集線装置１１を介して、端末装置１９に送信する。
【００４５】
家電・情報機器１８は、ECHONET Liteの通信規格に対応しており、集線装置１１を介して端末装置１９に接続される。また、家電・情報機器１８は、家電・情報機器１８の状態、使用期間等を表す使用状況データを端末装置１９に送信したり、使用状況データに基づいて端末装置１９から制御されたりする。また、家電・情報機器１８は、集線装置１１にイーサネット(登録商標)による通信ネットワークを介して直接的に接続されてもよいし、間接的に接続されてもよい。また、家電・情報機器１８と、集線装置１１とを接続するための通信ネットワークのケーブルは住宅１の壁内に配線される。住人によって視認されることがなく、美観の点において優れている。
【００４６】
家電・情報機器１８の例としては、冷房機器、暖房機器、電動シャッター、電気錠、給湯器、床暖房等が含まれる。また、家電・情報機器１８の例としては、住宅１の内部で用いられるコンピュータ、スマートフォン、任意の情報システムの専用端末等の情報通信機器も含まれる。また、住宅１を介して電気自動車の充電装置に電力が供給される場合には、使用状況データに電気自動車の状態、使用期間等を含んでもよい。
【００４７】
端末装置１９は、表示装置１９１と、ＨＥＭＳ（ホームエネルギーマネジメントシステム）１９２とを備える。なお、表示装置１９１と、ＨＥＭＳ１９２とは一体型の機器として構成されていてもよく、別体型の機器として構成されていてもよい。
【００４８】
ＨＥＭＳ１９２は、スマートメーター１０から送信されたＢルート電力データ、分電盤計測装置１５の送信部１５２（不図示）から送信された分電盤電力データ、発電・充放電制御装置１７から送信された発電・蓄電データ等を管理する。上述のようにＨＥＭＳ１９２は、スマートメーター１０、分電盤計測装置１５、発電・充放電機器１６、及び家電・情報機器１８それぞれと情報を送受信するために、イーサネット(登録商標)による通信ネットワークのインターフェースを有する。さらに、ＨＥＭＳ１９２は、インターネット等の外部の通信回線を介して、Ｂルート電力データ、分電盤電力データ、発電・蓄電データ、及び使用状況データを含む住宅電力データをサービス提供者３のサービス提供サーバ３１に送信する。
【００４９】
ＨＥＭＳ１９２は、スマートメーター１０、分電盤計測装置１５、発電・充放電制御装置１７、及び家電・情報機器１８とともに形成するＬＡＮのルーターとなることが可能であるように、ルーター機能を有する。そのため、通信ケーブル１１１（不図示）で接続された機器等にルーターが含まれない場合、ＨＥＭＳ１９２はルーター機能を有効にしてルータ（ＬＡＮの親ノード）としても機能する。また、通信ケーブル１１１（不図示）で接続され機器等にルーターが含まれる場合、ＨＥＭＳ１９２はルーター機能を無効にしてノード（ＬＡＮの子ノード）として機能する。
【００５０】
ＨＥＭＳ１９２は、ウェブサーバ機能を有し、ＬＡＮ上で接続されているウェブブラウザ又は専用のアプリケーションを有する表示装置１９１に対して各種情報の表示を行う。また、ＨＥＭＳ１９２は、ＨＥＭＳ１９２が生成した情報を、例えばクラウド上の別のサーバ及び表示用ウェブサーバに送信し、該別のウェブサーバ（サーバ）が、送信された情報に基づいて生成した情報を、表示装置１９１を介して表示を行ってもよい。表示装置１９１はＨＥＭＳ１９２専用の表示端末であってもよいし、汎用のＰＣ、スマートフォン等であってもよい。また、ＨＥＭＳ１９２は、テレビ放送を受信するテレビ放送受信部、ラジオ放送を受信するラジオ放送受信部、及びテレビ放送やラジオ放送により受信した映像及び音声を記録する記録部、を備え、受信した映像を表示装置１９１に表示させてもよい。また、ＨＥＭＳ１９２は、緊急地震速報を受信する緊急地震速報受信部、及び気象特別警報を受信する気象特別警報受信部を備えてもよい。
【００５１】
表示装置１９１は、ＨＥＭＳ１９２によって受信された住宅電力データを表示する。また、表示装置１９１は、サービス提供者３によって送信された各種情報又はサービスを表示する。
【００５２】
また、表示装置１９１は、所定の間隔でサービス提供サーバ３１にお知らせ情報の取得を要求し、サービス提供サーバ３１でお知らせ情報がある場合には、当該お知らせ情報を取得して表示装置１９１上にアラートとして、又はポップアップにより表示する。お知らせとは、例えば、ＨＥＭＳ１９２によって取得した家電・情報機器１８の使用状況、修繕履歴等に伴って、後述するサービス提供サーバ３１によって作成された修繕、消耗部品の交換等の提案や、ＨＥＭＳ１９２から受信した電力データに基づいて電力契約プランの提案である。
【００５３】
また、表示装置１９１は、テレビ放送、ラジオ放送、緊急地震速報、気象特別警報を表示する。また、ＨＥＭＳ１９２と表示装置１９１とは上述のＬＡＮを介して接続されるのではなく、直接的に接続されるのが好ましい。これにより、ＨＥＭＳ１９２及び表示装置１９１のいずれかに何らかの不具合が発生した場合に、その不具合がどちらで発生したのかを切り分けて特定することが容易となる。
【００５４】
表示装置１９１は、表示装置１９１が有するメモリ、又は表示装置１９１の外部記憶メディアに記憶されている画像及び動画（ＨＥＭＳ１９２に記憶されているものを含む）を所定の順に表示するデジタルフォトフレーム部を備えてもよい。
【００５５】
表示装置１９１は、ハンディテレビ、専用タブレット、汎用タブレット、スマートフォン、及びＰＣ（Personal Computer）のいずれによって実現されてもよい。表示装置１９１が、ハンディテレビや専用タブレットによって実現される場合、汎用タブレット、スマートフォン、ＰＣに比べて、サービス提供者３の提供するサービスに特化したインターフェースを設けることができるため、サービス提供者３にとっては、ポップアップ機能やアラート機能により自社サービスに関連した情報を通知したり、自社の物販サイトのみを表示させたりすることによってサービス提供の拡大を図ることが可能となる。
【００５６】
サービス提供者３は、１つのサーバ又は複数のサーバ群からなるサービス提供サーバ３１を備える。サービス提供サーバ３１は、記憶部３１１と、通信部３１２とを備えており、インターネット等の外部の通信ネットワークを介して、住宅１内の端末装置１９と情報を送受信する。
【００５７】
サービス提供サーバ３１は、ウェブサーバとしての機能を有し、ウェブブラウザを有する情報通信機器等に各種情報を表示させる。本実施形態では、ＨＥＭＳ１９２がウェブブラウザを備え、サービス提供サーバ３１から取得した各種情報を、ＨＥＭＳ１９２に接続された表示装置１９１に表示させる。
【００５８】
サービス提供サーバ３１は、表示装置１９１から送信されたユーザアカウントに基づく認証を経たログイン状態においてのみ、サービスに関する画面を表示装置１９１に表示させるようにしてもよい。また、サービス提供サーバ３１は、ログイン状態においてのみ提供するお知らせを表示装置１９１に表示させるようにしてもよい。また、ログインに係るユーザアカウントのユーザごとに情報を表示させるようにしてもよい。
【００５９】
また、サービス提供サーバ３１は、インターネット等の外部の通信回線を介して、住宅電力データを住宅１のＨＥＭＳ１９２から受信する。そして、サービス提供サーバ３１は、ＨＥＭＳ１９２から受信した住宅電力データに基づいて電力契約プランの提案を作成し、表示装置１９１に表示させる。また、表示装置１９１のユーザの入力によって表示装置１９１から電力契約プランの詳細についての参照要求を受けた場合には、当該電力契約プランの説明や手続きへと導く表示を表示装置１９１に対して行う。
【００６０】
また、サービス提供サーバ３１は、インターネット等の外部の通信回線を介して、家電・情報機器１８に関する情報をＨＥＭＳ１９２から受信する。そして、サービス提供サーバ３１は、ＨＥＭＳ１９２から受信した家電・情報機器１８に関する情報に基づいて修繕、消耗部品の交換等の提案を作成し、表示装置１９１に表示させる。また、表示装置１９１のユーザによる入力によって表示装置１９１から修繕、消耗部品の交換の詳細についての参照要求を受けた場合には、物販サイトや修繕受付へと導く表示を表示装置１９１に対して行う。
【００６１】
サービス提供サーバ３１は、インターネット等の外部の通信回線を介して、家電・情報機器１８のうちの電子錠に関する情報をＨＥＭＳ１９２から受信する。そして、サービス提供サーバ３１は、ＨＥＭＳ１９２から受信した電子錠に関する情報に基づいて住宅１、又は該住宅１の敷地への人物の訪問又は侵入を表示装置１９１に表示させる。
【００６２】
［装置間における情報の流れ及び提供されるサービスの流れ］
次に、上述した装置間における情報の流れ及び提供されるサービスの流れについて説明する。
ＨＥＭＳ１９２は、スマートメーター１０、分電盤計測装置１５、発電・充放電制御装置１７、及び家電・情報機器１８からそれぞれＢルート電力データ、分電盤電力データ、発電・蓄電データ、及び使用状況データを含む住宅電力データを取得し、取得した住宅電力データをサービス提供サーバ３１に送信する。
【００６３】
サービス提供者３は、サービス提供サーバ３１で受信された住宅電力データを電気事業者２に提供し、電気事業者２が住宅電力データに基づいて作成して電力プランをサービス提供者３に提供する。また、サービス提供者３は、上述のように住宅電力データの使用状況データに基づいて修繕、消耗部品の交換等の提案を作成する。さらに、サービス提供サーバ３１が、このようにして作成された電力プラン及び修繕、消耗部品の交換等の提案を表示装置１９１に表示させることができる。また、修繕、消耗部品の交換等の提案に基づいて、例えば、サービス提供者３が利用者を訪問して修繕や交換を推奨することもできる。
【００６４】
また、住宅１の販売会社が、上記のサービスを住宅１或いは住人に対し提供していると認識させることが好ましい（サービス提供者３への外注、又は内製サービスを含む）。そのようにすることで、住宅１の販売会社は、住宅１のみを販売するのではなく、その後の暮らしや生活のサポートなどをトータルでサポートできるビジネスを確立可能であり、住人から見ても住宅１を販売したのちも継続する多くのサービス群により大きな満足を得ることが可能となる。なお、サービス提供会社は住宅販売会社であってもよい。
【００６５】
［表示装置に表示される画像］
図２は、本実施形態の表示装置１９１に表示される画面の遷移の一例を示す図である。
表示装置１９１には、ＨＥＭＳ画面ＨＭが、デフォルト画面として表示される。このＨＥＭＳ画面ＨＭは、ＨＥＭＳ１９２に予め記憶されている画面である。ＨＥＭＳ画面ＨＭの具体例について、図３を参照して説明する。
【００６６】
［ＨＥＭＳ画面について］
図３は、本実施形態のＨＥＭＳ画面ＨＭの一例を示す図である。ＨＥＭＳ画面ＨＭには、端末装置１９が受信する各種の画像を表示可能である。この一例では、ＨＥＭＳ画面ＨＭには、ＨＥＭＳ１９２が受信するテレビ放送の画像が表示される。なお、ＨＥＭＳ画面ＨＭには、ＨＥＭＳ１９２が受信する緊急地震速報や気象特別警報などが表示されてもよい。
ＨＥＭＳ画面ＨＭには、各種のメニューボタンやメニューバーなどが表示される。表示装置１９１は、タッチパネルなどの操作検出デバイスを備えており、メニューボタンやメニューバーなどへのタップ操作などを検出可能である。この一例では、ＨＥＭＳ画面ＨＭには、メニューボタンとしてのＨＥＭＳ画面操作画像ＣＨＭ１〜ＣＨＭ５が表示される。
【００６７】
ＨＥＭＳ画面操作画像１＿ＣＨＭ１とは、サービス提供サーバ３１が提供するサービス提供者ページＨＮを表示装置１９１に表示させるための操作画像である。
ＨＥＭＳ画面操作画像２＿ＣＨＭ２とは、サービス提供サーバ３１が提供する省エネルギー支援ページＥＡを表示装置１９１に表示させるための操作画像である。
【００６８】
ＨＥＭＳ画面操作画像３＿ＣＨＭ３とは、家電・情報機器１８の操作を行う画像（不図示）を表示装置１９１に表示させるための操作画像である。
例えば、ＨＥＭＳ画面ＨＭには、「エアコン」アイコン、「照明」アイコン、「冷蔵庫」アイコン等が含まれる（いずれも不図示）。これらの「エアコン」アイコン、「照明」アイコン、「冷蔵庫」アイコンがタップ操作されることによって、表示装置１９１は、家電・情報機器１８のうちのそれぞれエアコン、照明、冷蔵庫の使用状況データを表示する。
【００６９】
ＨＥＭＳ画面操作画像４＿ＣＨＭ４とは、テレビ画像を表示装置１９１に表示させるための操作画像である。
ＨＥＭＳ画面操作画像５＿ＣＨＭ５とは、サービスメニューＳＶを表示装置１９１に表示させるための操作画像である。
【００７０】
［Ｗｅｂページの表示］
図２に戻り、表示装置１９１にＨＥＭＳ画面ＨＭが表示されている場合において、ユーザがＨＥＭＳ画面ＨＭのメニューボタンやメニューバーのうち、Ｗｅｂページを表示する操作画像をタップ操作すると、表示装置１９１は、タップ操作された該当ＷｅｂページのＵＲＩ（Uniform Resource Identifier；ユニフォーム・リソース・アイデンティファイア；統一資源識別子）を、サービス提供サーバ３１の通信部３１２に対して送信する。すなわち、表示装置１９１は、識別子出力部として機能する。
なお、本実施形態でいうＵＲＩとは、ＵＲＬ（Uniform Resource Locator）やＵＲＮ（Uniform Resource Name）などのＷｅｂページのページデータの識別子の総称である。
【００７１】
例えば、表示装置１９１にＨＥＭＳ画面ＨＭが表示されている場合において、ユーザがＨＥＭＳ画面操作画像１＿ＣＨＭ１をタップ操作すると、表示装置１９１は、サービス提供者ページＨＮのＵＲＩをサービス提供サーバ３１の通信部３１２に対して送信する。
【００７２】
サービス提供サーバ３１の通信部３１２は、表示装置１９１から受信したＵＲＩを取得し、取得したＵＲＩによって示されるＷｅｂページ（この一例では、サービス提供者ページＨＮ）のページデータを記憶部３１１から読み出す。すなわち、通信部３１２は、識別子を端末装置１９から取得する識別子取得部として機能する。
通信部３１２は、取得したサービス提供者ページＨＮのページデータを、要求元の表示装置１９１に対して送信する。すなわち、通信部３１２は、ページデータを端末装置１９に供給する供給部として機能する。
サービス提供者ページＨＮには、トップページＴＰへのリンク画像であるサービス提供者ページ操作画像ＣＨＮが表示される。
【００７３】
表示装置１９１は、通信部３１２から供給されるページデータを取得し、取得したページデータに基づく画像を表示させる。すなわち、表示装置１９１は、サービス提供サーバ３１から画像データを取得する画像情報取得部として機能する。また、表示装置１９１は、取得した画像データに基づく画像を表示させる表示制御部として機能する。
【００７４】
また例えば、表示装置１９１にＨＥＭＳ画面ＨＭが表示されている場合において、ユーザがＨＥＭＳ画面操作画像３＿ＣＨＭ３をタップ操作すると、表示装置１９１は、サービスメニューＳＶを表示させる。このサービスメニューＳＶには、トップページＴＰへのリンク画像であるサービスメニュー操作画像ＣＳＶが表示される。
本実施形態の一例では、サービスメニューＳＶは、端末装置１９（ＨＥＭＳ１９２）の製造メーカのサーバ（不図示）に記憶されている。表示装置１９１は、サービスメニューＳＶのＵＲＩを製造メーカのサーバ（不図示）に送信することによって、サービスメニューＳＶの情報を取得する。
【００７５】
このように、表示装置１９１がＷｅｂページの情報を外部のサーバから取得する場合には、当該Ｗｅｂページを示すＵＲＩを送信することにより行う。なお、Ｗｅｂページの情報を取得する場合の表示装置１９１と外部のサーバとのやりとりの説明は、以下省略する。
【００７６】
［ローカル画面の表示］
また、表示装置１９１は、ＨＥＭＳ１９２の記憶部（不図示）に記憶されている画面（ローカル画面）を表示可能である。
表示装置１９１にＨＥＭＳ画面ＨＭが表示されている場合において、ユーザがＨＥＭＳ画面ＨＭのメニューボタンやメニューバーのうち、ローカル画面を表示する操作画像をタップ操作すると、表示装置１９１は、タップ操作された該当ローカル画面の情報をＨＥＭＳ１９２の記憶部（不図示）から読み出す。表示装置１９１は、読み出したローカル画面の情報に基づく画像を表示させる。すなわち、この場合においても、表示装置１９１は、取得した画像データに基づく画像を表示させる表示制御部として機能する。
【００７７】
本実施形態の一例では、ＨＥＭＳ１９２の記憶部（不図示）には、ＨＥＭＳ画面ＨＭの画像情報と、エコレポート画像ＥＲの画像情報とが記憶されている。
【００７８】
例えば、表示装置１９１にＨＥＭＳ画面ＨＭが表示されている場合において、ユーザがＨＥＭＳ画面操作画像２＿ＣＨＭ２をタップ操作すると、表示装置１９１は、エコレポート画像ＥＲの情報をＨＥＭＳ１９２の記憶部（不図示）から読み出す。表示装置１９１は、読み出した情報に基づいて、エコレポート画像ＥＲを表示させる。
なお、ＨＥＭＳ画面ＨＭのＨＥＭＳ画面操作画像２＿ＣＨＭ２には、エコレポート画像ＥＲにおいて提示される情報が更新された場合（例えば、新着情報がある場合）などには、エコレポート画像ＥＲへ誘導するためのアラートが表示される。
【００７９】
また、図２に示すように、エコレポート画像ＥＲには、エコレポートページ操作画像ＣＥＲ（いわゆるダイアローグ画像）が表示される場合がある。このエコレポートページ操作画像ＣＥＲをユーザがタップ操作すると、サービス提供サーバ３１から提供される省エネルギー支援ページＥＡに遷移する。
【００８０】
［サービス提供者が提供するＷｅｂページ］
次に、図４から図９を参照して、サービス提供者３が提供するＷｅｂページの具体例について説明する。
【００８１】
［Ｗｅｂページ（１）トップページＴＰ］
図４は、本実施形態の表示装置１９１に表示されるトップページＴＰの一例を示す図である。上述したように、トップページＴＰには、サービスメニューＳＶ及びサービス提供者ページＨＮから遷移可能である。
トップページＴＰには、サービス提供者３が提供する各Ｗｅｂページに遷移するための操作画像（トップページ操作画像１＿ＣＴＰ１〜トップページ操作画像６＿ＣＴＰ６）、及びトップページＴＰ内を遷移するための操作画像（トップページ操作画像７＿ＣＴＰ７及びトップページ操作画像８＿ＣＴＰ８）が含まれる。
【００８２】
トップページ操作画像１＿ＣＴＰ１とは、基本情報入力ページＢＩを表示させるための操作画像である。
トップページ操作画像２＿ＣＴＰ２及びトップページ操作画像３＿ＣＴＰ３とは、いずれも、宅内ＣＯ２排出量ページＥＭを表示させるための操作画像である。このうち、トップページ操作画像２＿ＣＴＰ２には、宅内ＣＯ２排出量ページＥＭにおいて表示されるグラフ画像ＧＲの一部が表示される。ユーザは、トップページ操作画像２＿ＣＴＰ２、すなわちグラフ画像ＧＲをタップ操作することにより、直感的に宅内ＣＯ２排出量ページＥＭを表示させることができる。
トップページ操作画像４＿ＣＴＰ４とは、エネルギー入力ページＥＩを表示させるための操作画像である。
トップページ操作画像５＿ＣＴＰ５とは、ランキングページＲＫを表示させるための操作画像である。
トップページ操作画像７＿ＣＴＰ７とは、省エネルギー支援ページＥＡを表示させるための操作画像である。
【００８３】
トップページＴＰには多くの情報が含まれるため、表示装置１９１によっては、トップページＴＰのすべてを同時に表示できない場合がある。この場合、表示装置１９１には、トップページＴＰの右辺（又は左辺）等にスクロールバー（不図示）が表示される。ユーザは、このスクロールバーを操作することにより、トップページＴＰの一部を順次表示させることができる。
トップページＴＰには、上述した操作画像（トップページ操作画像１＿ＣＴＰ１〜トップページ操作画像６＿ＣＴＰ６）が表示される上部のトップページＴＰと、各種情報が表示される下部のトップページＴＰとが含まれる。
【００８４】
トップページ操作画像７＿ＣＴＰ７とは、上部のトップページＴＰが表示されている場合に、スクロールバーを操作せずに下部のトップページＴＰを表示（いわゆる、ページ内ジャンプ）させるための操作画像である。
トップページ操作画像８＿ＣＴＰ８とは、下部のトップページＴＰが表示されている場合に、スクロールバーを操作せずに上部のトップページＴＰを表示させるための操作画像である。
【００８５】
［Ｗｅｂページ（２）省エネルギー支援ページＥＡ］
図５は、本実施形態の表示装置１９１に表示される省エネルギー支援ページＥＡの一例を示す図である。上述したように、省エネルギー支援ページＥＡには、トップページＴＰ及びエコレポート画像ＥＲから遷移可能である。
トップページＴＰから省エネルギー支援ページＥＡに遷移する場合には、表示装置１９１には、省エネルギー支援ページ１＿ＥＡ１が表示される。
エコレポート画像ＥＲから省エネルギー支援ページＥＡに遷移する場合には、表示装置１９１には、省エネルギー支援ページ２＿ＥＡ２が表示される。
【００８６】
省エネルギー支援ページ１＿ＥＡ１とは、いわゆるアーティクル画面であり、省エネルギー活動に関する記事の一覧が表示される。省エネルギー支援ページ１＿ＥＡ１の各記事の画像には詳細画面へのリンクが設定されている。例えば、省エネルギー支援ページ１＿ＥＡ１には、省エネルギー支援操作画像１＿ＣＥＡ１が含まれる。ユーザが、省エネルギー支援操作画像１＿ＣＥＡ１をタップ操作すると、表示装置１９１には、省エネルギー支援ページ２＿ＥＡ２が表示される。
【００８７】
省エネルギー支援ページ２＿ＥＡ２とは、省エネルギー活動に関する記事の詳細な内容が含まれる画面である。例えば、省エネルギー支援ページ２＿ＥＡ２には、クイズ形式の記事が掲載されており、複数の選択肢（例えば、Ａ〜Ｄ）のいずれかをクイズの回答として選択する画像（省エネルギー支援操作画像２１＿ＣＥＡ２１及び省エネルギー支援操作画像２２＿ＣＥＡ２２）が含まれる。ユーザは、省エネルギー支援ページ２＿ＥＡ２に掲載されているクイズの回答を、省エネルギー支援操作画像２１＿ＣＥＡ２１又は省エネルギー支援操作画像２２＿ＣＥＡ２２をタップ操作することにより選択する。
この一例では、省エネルギー支援操作画像２１＿ＣＥＡ２１には、不正解の場合の省エネルギー支援ページ３１＿ＥＡ３１へのリンクが設定されている。また、省エネルギー支援操作画像２２＿ＣＥＡ２２には、正解の場合の省エネルギー支援ページ３２＿ＥＡ３２へのリンクが設定されている。
【００８８】
省エネルギー支援ページＥＡの各ページの上部（いわゆるメニューバー）には、メニュー画像ＭＮを表示させるための操作画像（メニューボタン＿ＣＥＡ１２、メニューボタン＿ＣＥＡ２３、メニューボタン＿ＣＥＡ３１、及びメニューボタン＿ＣＥＡ３２）が表示される。
なお、メニュー画像ＭＮを表示させるための操作画像（メニューボタン）は、上述したトップページＴＰや、後述する各Ｗｅｂページにも表示されるが、以降ではその説明を省略する。
【００８９】
［Ｗｅｂページ（３）ランキングページＲＫ］
図６は、本実施形態の表示装置１９１に表示されるランキングページＲＫの一例を示す図である。ランキングページＲＫは、例えば、ランキングページ１＿ＲＫ１〜ランキングページ３＿ＲＫ３を含む。ランキングページ１＿ＲＫ１にはトップページＴＰから遷移可能である。
【００９０】
ここで、ランキングとは、サービス提供サーバ３１が複数の住宅から取得している住宅電力データに基づいて、それぞれの住宅の省エネルギー活動の結果（例えば、宅内ＣＯ２排出量）を順位づけしたものである。このランキングには、総合ランキング、エネルギー別ランキング、世帯の家族構成別ランキングなどが含まれる。
【００９１】
ランキングページ１＿ＲＫ１とは、総合ランキングを示すＷｅｂページである。このランキングページ１＿ＲＫ１には、ランキングページ２＿ＲＫ２を表示させるための操作画像である、ランキングページ操作画像１＿ＣＲＫ１が含まれる。ユーザが、ランキングページ操作画像１＿ＣＲＫ１をタップ操作すると、表示装置１９１には、ランキングページ２＿ＲＫ２が表示される。
ランキングページ２＿ＲＫ２とは、エネルギー別ランキングを示すＷｅｂページである。ランキングページ２＿ＲＫ２には、エネルギーの種類（例えば、電気、ガス、水道、ガソリン、灯油、及び発電量）毎に、順位づけ対象エリア（例えば、全国、地域、及び世帯構成）毎のランキングを表示するための操作画面が含まれる。
この一例において、ランキングページ２＿ＲＫ２には、ランキングページ操作画像２＿ＣＲＫ２が含まれる。ユーザが、ランキングページ操作画像２＿ＣＲＫ２をタップ操作すると、表示装置１９１にはランキングページ３＿ＲＫ３が表示される。
ランキングページ３＿ＲＫ３とは、エネルギーの種類毎かつ順位づけ対象エリア毎の詳細な順位を示すＷｅｂページである。
【００９２】
［Ｗｅｂページ（４）エネルギー入力ページＥＩ］
図７は、本実施形態の表示装置１９１に表示されるエネルギー入力ページＥＩの一例を示す図である。このエネルギー入力ページＥＩには、トップページＴＰから遷移可能である。エネルギー入力ページＥＩとは、エネルギーの種類（例えば、電気、ガス、水道、ガソリン、灯油、及び発電量）毎に、各月毎のエネルギーの消費量（又は、販売量）を入力するためのＷｅｂページである。
ここで、エネルギー入力ページＥＩには、ＨＥＭＳ１９２が取得できないエネルギー（例えば、水道、ガソリン、及び灯油）の消費量情報をも入力することができる。
【００９３】
［Ｗｅｂページ（５）基本情報入力ページＢＩ］
図８は、本実施形態の表示装置１９１に表示される基本情報入力ページＢＩの一例を示す図である。基本情報入力ページＢＩには、トップページＴＰから遷移可能である。この基本情報入力ページＢＩには、ユーザの居住地域、家族構成、世帯構成、ランキング参加対象のエネルギーの種類、車の所有有無、オール電化の有無等を入力可能である。サービス提供サーバ３１は、基本情報入力ページＢＩに入力されたユーザ毎の基本情報に基づいて、ランキングを集計する。
【００９４】
［Ｗｅｂページ（６）宅内ＣＯ２排出量ページＥＭ］
図９は、本実施形態の表示装置１９１に表示される宅内ＣＯ２排出量ページＥＭの一例を示す図である。宅内ＣＯ２排出量ページ１＿ＥＭ１には、トップページＴＰから遷移可能である。
【００９５】
宅内ＣＯ２排出量ページ１＿ＥＭ１には、宅内ＣＯ２排出量ページＥＭの各ページを表示させるための操作画像（宅内ＣＯ２排出量ページ操作画像１１＿ＣＥＭ１１〜宅内ＣＯ２排出量ページ操作画像１３＿ＣＥＭ１３）が含まれる。
宅内ＣＯ２排出量ページ操作画像１１＿ＣＥＭ１１とは、宅内ＣＯ２排出量ページ２１＿ＥＭ２１を表示させるための操作画像である。宅内ＣＯ２排出量ページ２１＿ＥＭ２１には、ユーザの宅内ＣＯ２排出量の月別年間推移を示すグラフ画像が表示される。この宅内ＣＯ２排出量の月別年間推移は、エネルギーの種類毎の宅内ＣＯ２排出量を示すグラフと、及び全エネルギーの宅内ＣＯ２排出量の合計値を示すグラフとが表示される。
【００９６】
この一例においては、宅内ＣＯ２排出量の月別年間推移を示すグラフ画像は、１周が１年に相当する円グラフＧＥＭ２１になっている。この円グラフの放射軸には、宅内ＣＯ２排出量のゼロ点が、円グラフＧＥＭ２１の中心ではなく径方向にずれた位置にして表示される。このため、例えば、発電機器１６１による発電量が、住宅１内の家電・情報機器１８による消費量を上回っている場合などにおいて、円グラフＧＥＭ２１のゼロ点よりも内径部にプロットすることにより、宅内ＣＯ２排出量がマイナスの値になっていることを示すことができる。すなわち、円グラフＧＥＭ２１によれば、径方向にずれた位置に宅内ＣＯ２排出量のゼロ点が設定されているため、宅内ＣＯ２排出量についてプラスの値とマイナスの値とを、一つの円グラフによって示すことができる。
【００９７】
宅内ＣＯ２排出量ページ操作画像１２＿ＣＥＭ１２とは、宅内ＣＯ２排出量ページ２２＿ＥＭ２２を表示させるための操作画像である。
宅内ＣＯ２排出量ページ２２＿ＥＭ２２には、昨年の宅内ＣＯ２排出量と、本年の宅内ＣＯ２排出量との比較に基づく省エネルギー活動のレベル（例えば、Ａレベル〜Ｅレベル）が表示される。例えば、昨年の宅内ＣＯ２排出量に比べて、本年の宅内ＣＯ２排出量が１５％以上少ない場合には、宅内ＣＯ２排出量ページ２２＿ＥＭ２２には「Ａレベル」が表示される。
【００９８】
宅内ＣＯ２排出量ページ操作画像１３＿ＣＥＭ１３とは、データダウンロードページＤＬを表示させるための操作画像である。
図１０は、本実施形態の表示装置１９１に表示されるデータダウンロードページＤＬの一例を示す図である。ユーザは、データダウンロードページＤＬを利用することにより、サービス提供サーバ３１に蓄積されている宅内ＣＯ２排出量のグラフデータ及びグラフ加工前の生データを取得することができる。
【００９９】
［宅内ＣＯ２排出量ページＥＭの詳細］
図１１は、本実施形態の表示装置１９１に表示される宅内ＣＯ２排出量ページ１＿ＥＭ１の一例の詳細を示す図である。
【０１００】
宅内ＣＯ２排出量ページ１＿ＥＭ１には、グラフ画像ＧＲが表示される。このグラフ画像ＧＲには、第１グラフＧＲ１画像と、第２グラフＧＲ２画像とが含まれる。この一例においては、１か月グラフ画像ＧＲ１１が第１グラフＧＲ１画像として表示される。また、１日グラフ画像ＧＲ１２が第２グラフＧＲ２画像として表示される。
【０１０１】
図１２は、本実施形態の表示装置１９１に表示されるグラフ画像ＧＲの一例を示す図である。
この一例において、１か月グラフ画像ＧＲ１１には、ある年の１か月間（例えば、１０月）の宅内ＣＯ２排出量のグラフ（１か月宅内ＣＯ２排出量グラフ画像ＧＥＭ１１）と、発電量のグラフ（１か月ＰＶ発電量グラフ画像ＧＰＶ１１）とが、１日を単位にして示される。すなわち、１か月グラフ画像ＧＲ１１には、宅内ＣＯ２排出量と発電量との１日単位の推移が表示される。
【０１０２】
また、この一例において、１日グラフ画像ＧＲ１２には、１か月グラフ画像ＧＲ１１に示された日付のうち、ある１日についての宅内ＣＯ２排出量のグラフ（１日宅内ＣＯ２排出量グラフ画像ＧＥＭ１２）と、発電量のグラフ（１日ＰＶ発電量グラフ画像ＧＰＶ１２）とが、３０分間を単位にして示される。すなわち、１日グラフ画像ＧＲ１２には、宅内ＣＯ２排出量と発電量との３０分間単位の推移が表示される。
【０１０３】
つまり、第２グラフＧＲ２は、第１グラフＧＲ１の表示期間幅（上述の一例では１か月間）のうち一部の表示期間幅（上述の一例では１日間）におけるエネルギーの使用状況の時間変化を示す。
【０１０４】
なお、分電盤１４が独立分岐回路を有しており、分電盤計測装置１５が独立分岐回路毎に消費電力を計測することができる場合がある。この場合、例えば、エアコンなどの空調機器や、ＩＨ機器などを、分電盤計測装置１５が個別に消費電力の計測を行うことができる。
このような場合には、宅内ＣＯ２排出量グラフ画像には、エアコンなどの空調機器や、ＩＨ機器などの消費電力が比較的大きい機器のグラフが含まれていると望ましい。
また、エアコンなどの空調機器や、ＩＨ機器などの消費電力が比較的大きい機器のグラフが、他の機器とグラフと区別できるように表示されているとより望ましい。
【０１０５】
図１１に戻り、表示装置１９１に宅内ＣＯ２排出量画像ＥＭ１１が表示されている場合、ユーザが、１か月グラフ画像ＧＲ１１のある日付のグラフ（例えば、棒グラフ）の画像をタップ操作する。この場合、サービス提供サーバ３１は、タップ操作された日付の１日グラフ画像ＧＲ１２を第２グラフＧＲ２として、１か月グラフ画像ＧＲ１１（第１グラフＧＲ１）と１日グラフ画像ＧＲ１２（第２グラフＧＲ２）とを含む宅内ＣＯ２排出量画像ＥＭ１１を生成する。この結果、表示装置１９１には、１か月グラフ画像ＧＲ１１と、ユーザがタップ操作した日付の１日グラフ画像ＧＲ１２とが、同時に表示される。
【０１０６】
ここで、１か月グラフ画像ＧＲ１１と、１日グラフ画像ＧＲ１２とは、１つのグラフ画像ＧＲとして、宅内ＣＯ２排出量ページ１＿ＥＭ１の画像データ（すなわち、Ｗｅｂページ換算で１ページ分の画像データ）として生成される。
すなわち、端末装置１９から宅内ＣＯ２排出量ページ１＿ＥＭ１を示すＵＲＩがサービス提供サーバ３１に対して送信された場合、サービス提供サーバ３１は、宅内ＣＯ２排出量ページ１＿ＥＭ１を１ページ分のＷｅｂページデータとして、端末装置１９に送信する。すなわち、サービス提供サーバ３１は、第２グラフＧＲ２を、第１グラフＧＲ１とともに識別子（例えば、ＵＲＩ）が示す表示領域（例えば、グラフ画像ＧＲの表示領域）内に配置する。
【０１０７】
なお、サービス提供サーバ３１が１ページ分のデータとしてＷｅｂページデータを送信した場合、端末装置１９の種類（例えば、表示装置１９１のディスプレイのサイズや解像度）によって、一画面内に１ページ分のＷｅｂページのすべてが表示される場合と、一画面内には収まらずに分割して表示される場合とがある。
仮に、表示装置１９１の表示面積に対して、宅内ＣＯ２排出量ページ１＿ＥＭ１の表示面積が広い場合には、表示装置１９１には、宅内ＣＯ２排出量ページ１＿ＥＭ１の１頁分の画像を一度に表示することができない。この場合、表示装置１９１に表示される宅内ＣＯ２排出量ページ１＿ＥＭ１の一部（例えば、右辺）にはスクロールバーが表示される。ユーザは、このスクロールバーを操作することにより、１ページ分のＷｅｂページデータを閲覧する。
【０１０８】
［グラフの表示期間幅の変更］
宅内ＣＯ２排出量ページ１＿ＥＭ１には、１０年表示操作画像ＣＥＭ１４、１年表示操作画像ＣＥＭ１５、及び１か月表示操作画像ＣＥＭ１６が表示される。
ユーザが、１０年表示操作画像ＣＥＭ１４をタップ操作すると、上述した１か月グラフ画像ＧＲ１１に代えて、１０年グラフ画像（不図示）が、第１グラフＧＲ１として表示される。またこの場合、上述した１日グラフ画像ＧＲ１２に代えて、１０年グラフ画像が示す各年のうちの１年間に相当する１年グラフ画像（不図示）が、第２グラフＧＲ２として表示される。
ユーザが、１年表示操作画像ＣＥＭ１５をタップ操作すると、上述した１か月グラフ画像ＧＲ１１に代えて、１年グラフ画像（不図示）が、第１グラフＧＲ１として表示される。またこの場合、上述した１日グラフ画像ＧＲ１２に代えて、１年グラフ画像が示す各月のうちの１か月間に相当する１か月グラフ画像（不図示）が、第２グラフＧＲ２として表示される。
ユーザが、１か月表示操作画像ＣＥＭ１６をタップ操作すると、上述した１か月グラフ画像ＧＲ１１が第１グラフＧＲ１として、１日グラフ画像ＧＲ１２が第２グラフＧＲ２として、それぞれ表示される。
なお、１年グラフ画像（不図示）が第１グラフＧＲ１として、１週間グラフ画像（不図示）が第２グラフＧＲ２として表示されてもよい。また、１週間グラフ画像（不図示）が第１グラフＧＲ１として、１日グラフ画像（不図示）が第２グラフＧＲ２として表示されてもよい。
【０１０９】
ここでは、宅内ＣＯ２排出量ページ１＿ＥＭ１が表示装置１９１に表示される場合に、ユーザによる変更操作を伴わない場合の初期状態（いわゆるデフォルト）において表示される画像が「１か月グラフ画像ＧＲ１１」及び「１日グラフ画像ＧＲ１２」の組み合わせである場合を一例として説明した。この組み合わせは一例であって、表示装置１９１に初期状態として表示されるグラフ画像ＧＲは、第２グラフＧＲ２の表示期間幅が、第１グラフＧＲ１の表示期間幅の一部を示す組み合わせであれば、上述した表示期間幅のいずれの組み合わせであってもよい。
【０１１０】
［グラフ表示の初期状態］
表示装置１９１に宅内ＣＯ２排出量ページ１＿ＥＭ１が表示される場合の、第２グラフＧＲ２の初期状態について説明する。
【０１１１】
図１３は、本実施形態の表示装置１９１に表示されるグラフ画像ＧＲの初期状態を示す図である。この一例において、１か月グラフ画像ＧＲ１１がある年の１０月の１か月間の推移（時間変化）を示しており、１０月１６日に宅内ＣＯ２排出量のピーク値（当該１か月間における最大値）が発生している。この場合、宅内ＣＯ２排出量ページ１＿ＥＭ１のグラフ画像ＧＲには、「１０月」の１か月グラフ画像ＧＲ１１が第１グラフＧＲ１として、「１０月１６日」の１日グラフ画像（ピーク日グラフ画像ＧＲ１３）が第２グラフＧＲ２として、それぞれ表示される。
すなわち、第２グラフＧＲ２の表示期間幅が、第１グラフＧＲ１の表示期間幅における住宅のエネルギーの使用量が最大である期間に基づいて予め定められている。
【０１１２】
なお、第２グラフＧＲ２の初期状態が次のように変形されてもよい。
（１）グラフ画像ＧＲの閲覧日の日付と同一の日付を表示する。
例えば、グラフ画像ＧＲの閲覧日が１０月１８日である場合において、前月（９月）の１か月グラフ画像ＧＲ１１を表示する場合、１日グラフ画像ＧＲ１２には、閲覧日１０月１８日の同一の日付である９月１８日のグラフ画像が表示される。
（２）グラフ画像ＧＲの閲覧日の曜日と同一の曜日を表示する。
例えば、グラフ画像ＧＲの閲覧日が４月１日（日曜日）である場合において、前月（３月）の１か月グラフ画像ＧＲ１１を表示する場合、１日グラフ画像ＧＲ１２には、閲覧日４月１日（日曜日）の同一の曜日である３月４日（日曜日）のグラフ画像が表示される。
（３）グラフ画像ＧＲの閲覧日の同週のピーク日を表示する。
例えば、グラフ画像ＧＲの閲覧日が６月１１日（６月の第３週）である場合において、前月（５月）の１か月グラフ画像ＧＲ１１を表示する場合、１日グラフ画像ＧＲ１２には、閲覧日６月１１日（６月の第３週）の同週（５月の第３週）の各日（例えば、５月１３日から５月１９日）のうち、ピーク日（例えば、５月１４日）のグラフ画像が表示される。
（４）第１グラフＧＲ１の各期間を第２グラフＧＲ２として順次表示する。
例えば、第１グラフＧＲ１としての１か月グラフ画像ＧＲ１１の各期間（１日から末日まで）を、所定の時間（例えば２秒）ごとに切り替えながら順次、第２グラフＧＲ２として表示する。
【０１１３】
［宅内ＣＯ２排出量の数値表示］
図１１に戻り、宅内ＣＯ２排出量ページ１＿ＥＭ１には、宅内ＣＯ２排出量画像ＥＭ１１、生活による宅内ＣＯ２排出量画像ＥＭ１２、及び発電等が削減する宅内ＣＯ２排出量画像ＥＭ１３が数値によって表示される。
【０１１４】
生活による宅内ＣＯ２排出量画像ＥＭ１２には、図１２に示す、１か月グラフ画像ＧＲ１１の１か月宅内ＣＯ２排出量グラフ画像ＧＥＭ１１の１か月間の合計値（積分値）が［ｋｇ−ＣＯ２］換算された値が表示される。
【０１１５】
発電等が削減する宅内ＣＯ２排出量画像ＥＭ１３には、図１２に示す、１か月グラフ画像ＧＲ１１の１か月ＰＶ発電量グラフ画像ＧＰＶ１１の１か月間の合計値（積分値）が［ｋｇ−ＣＯ２］換算された値が表示される。
【０１１６】
宅内ＣＯ２排出量画像ＥＭ１１には、生活による宅内ＣＯ２排出量画像ＥＭ１２と、発電等が削減する宅内ＣＯ２排出量画像ＥＭ１３との差分の値が表示される。すなわち、宅内ＣＯ２排出量画像ＥＭ１１には、１か月グラフ画像ＧＲ１１の１か月宅内ＣＯ２排出量グラフ画像ＧＥＭ１１の１か月間の合計値（積分値）から、１か月グラフ画像ＧＲ１１の１か月ＰＶ発電量グラフ画像ＧＰＶ１１の１か月間の合計値（積分値）を差し引いたエネルギー量が［ｋｇ−ＣＯ２］換算された値が表示される。
【０１１７】
ここで、サービス提供サーバ３１は、省エネルギー活動の指標（計測単位）として［ｋｇ−ＣＯ２］を用いているため、エネルギーの種類によらず、エネルギー削減量を統一的に扱うことができる。
なお、省エネルギー活動の指標（計測単位）として［ｋｇ−ＣＯ２］を用いるのは一例であって、例えば、［ｋＷｈ］に換算して表示してもよい。
【０１１８】
［サービス提供サーバ３１の動作］
次に図１４を参照してサービス提供サーバ３１の動作の一例について説明する。
図１４は、本実施形態のサービス提供サーバ３１の動作の一例を示す図である。
（１）データ取得手順
（ステップＳ１０）サービス提供サーバ３１は、端末装置１９（ＨＥＭＳ１９２）から住宅電力データを取得する。ここで、サービス提供サーバ３１は、ＨＥＭＳ１９２から３０分間隔で送信される「３０分値」を住宅電力データとして取得する。
（ステップＳ２０）サービス提供サーバ３１は、３０分値の住宅電力データを家電・情報機器１８別に分類して１日分のデータ（日データ）を生成する。
（ステップＳ３０）サービス提供サーバ３１は、生成した日データを日付別に積算して１か月ぶんのデータ（月データ）を生成する。
（ステップＳ４０）サービス提供サーバ３１は、生成した日データ及び月データを記憶部３１１に記憶させて、データ取得手順を終了する。
【０１１９】
（２）グラフ生成手順
（ステップＳ１１０）サービス提供サーバ３１は、端末装置１９からＵＲＩを取得する。
（ステップＳ１２０）サービス提供サーバ３１は、取得したＵＲＩに基づいて、ＵＲＩが示す表示対象のＷｅｂページを判定する。以下、この一例では、取得したＵＲＩが宅内ＣＯ２排出量ページ１＿ＥＭ１を示している場合について説明する。
（ステップＳ１３０）サービス提供サーバ３１は、記憶部３１１から表示対象の月の月データを読み出して、第１グラフＧＲ１（例えば、１か月グラフ画像ＧＲ１１）を生成する。
（ステップＳ１４０）サービス提供サーバ３１は、記憶部３１１から表示対象の日の日データを読み出して、第２グラフＧＲ２（例えば、ピーク日グラフ画像ＧＲ１３）を生成する。
（ステップＳ１５０）サービス提供サーバ３１は、生成した第１グラフＧＲ１及び第２グラフＧＲ２を含む宅内ＣＯ２排出量ページ１＿ＥＭ１の画面データを生成する。
（ステップＳ１６０）サービス提供サーバ３１は、生成した宅内ＣＯ２排出量ページ１＿ＥＭ１の画面データを、要求元の端末装置１９に対して送信する。
以下、端末装置１９において、第１グラフＧＲ１に対する日付指定のタップ操作が行われた場合について説明する。
（ステップＳ１７０）サービス提供サーバ３１は、端末装置１９における第１グラフＧＲ１に対する日付指定のタップ操作を検出する。
（ステップＳ１８０）サービス提供サーバ３１は、タップ操作が指定する日付（すなわち、第２グラフＧＲ２として表示する対象の日付）の情報を取得する。
（ステップＳ１９０）サービス提供サーバ３１は、取得した日付に対応する日データを、記憶部３１１から読み出して、第２グラフＧＲ２（例えば、１日グラフ画像ＧＲ１２）を生成する。
（ステップＳ２００）サービス提供サーバ３１は、生成した第１グラフＧＲ１及び第２グラフＧＲ２を含む宅内ＣＯ２排出量ページ１＿ＥＭ１の画面データを生成する。
（ステップＳ２１０）サービス提供サーバ３１は、生成した宅内ＣＯ２排出量ページ１＿ＥＭ１の画面データを、要求元の端末装置１９に対して送信して、グラフ生成手順を終了する。
【０１２０】
［実施形態のまとめ］
以上説明したように、本実施形態のサービス提供サーバ３１によれば、第１グラフＧＲ１（例えば、１か月グラフ画像ＧＲ１１）と、第２グラフＧＲ２（例えば、１日グラフ画像ＧＲ１２）とが、１つの識別子（例えば、ＵＲＩ）が示す表示領域（例えば、Ｗｅｂページの１ページ分）内に配置される。このように第１グラフＧＲ１と第２グラフＧＲ２とが１画面に関連付けて表示されることにより、ユーザは、直感的に省エネルギー活動の効果を把握することができる。すなわち、本実施形態のサービス提供サーバ３１によれば、ユーザにとって省エネルギー活動の効果を直感的に把握しやすいグラフの提示がなされる。
【０１２１】
なお、グラフ画像ＧＲを生成するための住宅電力データは、ＨＥＭＳ１９２から３０分間隔でサービス提供サーバ３１に送信される。サービス提供サーバ３１は、例えば、１日前までの住宅電力データを使用して、グラフ画像や宅内ＣＯ２排出量画像を生成する。
【０１２２】
また、サービス提供サーバ３１は、サービス契約ごとに宅内ＣＯ２排出量ページＥＭを生成する。例えば、住宅１が２世帯住宅である場合など、１つの住宅１に２台以上の端末装置１９（ＨＥＭＳ１９２）があった場合でも、これら２台以上の端末装置１９をまとめて１つのサービス契約がなされている場合には、サービス提供サーバ３１は、複数の端末装置１９をまとめたデータの合計値を表示する。
なお、ここでいう住宅１には、戸建に限らず、集合住宅、マンション、福祉施設などが含まれる。
また、端末装置１９は、上述した表示装置１９１と同様に、ハンディテレビ、専用タブレット、汎用タブレット、スマートフォン、及びＰＣ（Personal Computer）のいずれによって実現されてもよい。
【０１２３】
なお、上述した表示装置１９１の表示を切り替えるためのタッチパネルに対するタップ操作は、一例であってこれに限られない。ユーザは、マウスをクリックする、他の機械的スイッチを操作する、マウスカーソルを第１グラフＧＲ１のグラフ画像（例えば、棒グラフ）に合わせる、などにより表示装置１９１の表示を切り替えてもよい。
【０１２４】
また、上述において、宅内ＣＯ２排出量ページ１＿ＥＭ１に表示される第１グラフＧＲ１と第２グラフＧＲ２とが、それぞれ１つずつ場合を一例にして説明したがこれに限られない。例えば、第１グラフＧＲ１の互いに異なる期間を、複数の第２グラフＧＲ２によってそれぞれ表示するように構成してもよい。
また、宅内ＣＯ２排出量ページ１＿ＥＭ１に表示される各グラフ画像のページ内のレイアウト、大きさは適宜変更可能であってもよい。
また、この一例において、第１グラフＧＲ１及び第２グラフＧＲ２はいずれも棒グラフによって示されるとして説明したが、これに限られない。第１グラフＧＲ１及び第２グラフＧＲ２の表示形式は、円グラフや折れ線グラフなどであってもよい。
【０１２５】
以上、本発明の実施形態及びその変形を説明したが、これらの実施形態及びその変形は、例として提示したものであり、発明の範囲を限定することは意図していない。これら実施形態及びその変形は、その他の様々な形態で実施されることが可能であり、発明の要旨を逸脱しない範囲で、種々の省略、置き換え、変更を行うことができる。これら実施形態及びその変形は、発明の範囲や要旨に含まれると同時に、特許請求の範囲に記載された発明とその均等の範囲に含まれるものである。
【０１２６】
なお、上述の各装置は内部にコンピュータを有している。そして、上述した各装置の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【０１２７】
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【０１２８】
１…住宅、１０…スマートメーター、１１…集線装置、１３−１…Ａルート受信装置、１３…Ｂルート受信装置、１３−２…Ｃルート受信装置、１４…分電盤、１５…分電盤計測装置、１６…発電・充放電機器、１７…発電・充放電制御装置、１８…家電・情報機器、１９…端末装置、１６１…発電機器、１６２…充放電機器、１９１…表示装置、１９２…ＨＥＭＳ、ＧＲ１１…１か月グラフ画像、ＧＲ１２…１日グラフ画像、ＧＲ１３…ピーク日グラフ画像
【図１】
2019154162.tif 000003
【図２】
2019154162.tif 000004
【図３】
2019154162.tif 000005
【図４】
2019154162.tif 000006
【図５】
2019154162.tif 000007
【図６】
2019154162.tif 000008
【図７】
2019154162.tif 000009
【図８】
2019154162.tif 000010
【図９】
2019154162.tif 000011
【図１０】
2019154162.tif 000012
【図１１】
2019154162.tif 000013
【図１２】
2019154162.tif 000014
【図１３】
2019154162.tif 000015
【図１４】
2019154162.tif 000016